(57)【要約】【課題】漁獲物と夾雑物とを曳網中において分別可能なコッド網を提供すること。【解決手段】一方の袋網２（３）を構成する上壁網２ａ（３ａ）あるいは下壁網２ｂ（３ｂ）の網口４近傍に当該袋網２（３）から他方の袋網３（２）に目的物を通過させるための開口部５を形成し、前記一方の袋網２（３）の前記開口部４の形成壁側に、前記他方の袋網３（２）を前記開口部５を通過する目的物を収容可能に配置する。【選択図】      図１
2004298126.tif 000002
【特許請求の範囲】
【請求項１】
一方の袋網を構成する上壁網あるいは下壁網の網口近傍に当該袋網から他方の袋網に目的物を通過させるための開口部が形成されており、前記一方の袋網の前記開口部の形成壁側には、前記他方の袋網が、前記開口部を通過する目的物を収容可能に配置されていることを特徴とするコッド網。
【請求項２】
前記開口部には、目的物としての魚介類とそれ以外のものとを分別可能なネット状部材が配設されていることを特徴とする請求項１に記載のコッド網。
【請求項３】
前記目的物としての魚介類を収容する袋網は、前記開口部の配設位置よりも奥部に少なくとも１以上の仕切網が配設されていることを特徴とする請求項１または請求項２に記載のコッド網。
【発明の詳細な説明】
【０００１】
【発明の属する技術分野】
本発明はコッド網に係り、特に底曳網を構成するコッド網に関する。
【０００２】
【従来の技術および発明が解決しようとする課題】
底曳網漁は、網を海底に接地させた状態で引き回し、目的の魚介類をコッド網に追い込んで漁獲する漁法である。
【０００３】
そのため、底曳網漁では、漁獲物に混じって、ヒトデ、イソギンチャク、貝類などの遊泳性のない生物やゴミなど（以下、「夾雑物」という）がコッド網に入ることがあり、商品としての魚介類に傷を付ける原因となって漁獲物の商品価値を低下させたり、また、コッド網を引き上げたときの分別の作業を煩わしいものにしていた。
【０００４】
そこで、本発明は、漁獲物と夾雑物とを曳網中において分別可能なコッド網を提供することを目的とするものである。
【０００５】
【課題を解決するための手段】
前述した目的を達成するため、本発明のコッド網は、一方の袋網を構成する上壁網あるいは下壁網の網口近傍に当該袋網から他方の袋網に目的物を通過させるための開口部が形成されており、前記一方の袋網の前記開口部の形成壁側には、前記他方の袋網が、前記開口部を通過する目的物を収容可能に配置されていることを特徴とする。
【０００６】
本発明によれば、袋網を上下２段に配設することができ、曳網中に、コッド網内に進入した魚介類や夾雑物を分別し、下側に配設された袋網には前記夾雑物を収容し、上側の袋網には前記魚介類を収容することができる。
【０００７】
また、前記開口部には、目的物としての魚介類とそれ以外のものとを分別可能なネット状部材を配設したことを特徴とする。
【０００８】
本発明によれば、前記開口部にネット状部材を配設することにより、一旦、分別した魚介類と夾雑物とが再びコッド網内において混在することを防止することができる。
【０００９】
さらに、目的物としての魚介類を収容する袋網は、前記開口部の配設位置よりも奥部に、少なくとも１以上の仕切網が配設されていることを特徴とする。
【００１０】
本発明によれば、配設する仕切網の網目の大きさを調整することにより、魚介類をその仕切網によって仕切られた各区画内に魚体の大きさにより分別して収容することができる。
【００１１】
【発明の実施の形態】
本実施形態のコッド網は底曳網を構成するコッド網であり、漁獲の目的物としての魚介類以外の夾雑物を収容することを主目的とする袋状の網（以下、「袋網」という）と、前記魚介類を収容することを目的とする袋網とが上下２段に重なった構造を有する。
【００１２】
まず、第１実施形態について図１および図２を用いて説明する。
【００１３】
本実施形態において、下方に配置される袋網（以下、「下コッド網」という）２は、その網口４を開口させた状態で図示しない底曳網の身網に連結される網であり、夾雑物を収容することを主目的として用いられる。
【００１４】
前記下コッド網２は、略長方形状の上壁網２ａ、前記上壁網２ａと略同形状とされた下壁網２ｂおよび前記上壁網２ａと下壁網２ｂとを連接する略直角三角形状とされた２枚の側壁網２ｃの計４枚の部材から本体が構成されており、使用時の展張状態における平面形状が略長方形となり、その長さ方向縦断面形状が前記網口４側（以下、この方向を「前」と概念する）の下部を略直角とする略直角三角形状となるように形成されている。
【００１５】
そして、前記下コッド網２の上壁網２ａの前記網口４近傍には、前記網口４からコッド網１内に進入した魚介類を当該下コッド網２の上方に配置される袋状の網（以下、「上コッド網」という）３へ通過させるための開口部５が形成されている。前記開口部５は解放枠状に形成することも可能であるが、本実施形態においては、前記開口部５には当該下コッド網２の幅方向にロープを配列させたネット（ロープネット）６が配設されている。本実施形態においては、前記ロープネット６はＰＥ（ポリエチレン）製の直径６ｍｍのものを用い、目的の魚介類が通過するに十分な間隔で配列した。このように前記開口部５にロープネット６を配設することにより、一旦、上コッド網内に進入した魚介類が、再び、下コッド網２内に泳ぎ戻ることを防止することができる。
【００１６】
また、前記上コッド網３は、前記漁獲の目的物としての魚介類を収容することを目的として用いられる袋網であり、略長方形状の上壁網３ａ、前記上壁網３ａの反網口４側（以下、この方向を「後」と概念する）の部分と同形状とされた下壁網３ｂおよび前記上壁網３ａの側辺を底辺とする三角形状とされ、前記上壁網３ａと下壁網３ｂとを連接する２枚の側壁網３ｃの計４枚の部材と、前記下コッド網２の上壁網２ａの前方部分を利用して構成されている。
【００１７】
より詳しくは、上コッド網３は、前記上壁網３ａの前端辺を前記下コッド網２の上壁網２ａの前端辺に固定し、前記上壁網３ａの前方部分に連接する２枚の側壁網３ｃの前方部分をそれぞれ対応する前記下コッド網２の上壁網２ａの前方側辺に固定し、さらに、前記下壁網３ｂの前端辺を前記下コッド網２の上壁網２ａの略中央付近の対応位置に固定することで、前記下コッド網２の上壁網２ａに形成された開口部５を開口させた前方部分が形成されている。また、前記上コッド網３の後方部分は、前記上壁網３ａの後方部分、下壁網３ｂ、およびこれらに連接された２枚の側壁網３ｃの後方部分によって袋状に形成されており、使用時の展張状態においては、前記下コッド網２の後方部分の上方に前記下壁網２ｂの前端辺部分を支点として揺動するように形成されている。
【００１８】
なお、本実施形態においては、前記上コッド網３と下コッド網２との隔壁となる前記下コッド網２の上壁網２ａの前方部分は、前記開口部５を除き、大きい網目（１２０ｍｍ角目）のネット地で形成され、前記下コッド網２の上壁網２ａの後方部分と下壁網２ｂ、および前記上コッド網３の上壁網３ａの後方部分と下壁後方網３ｂは小さい網目（３３ｍｍ角目）のネット地で形成され、前記下コッド網２の両側壁網２ｃおよび上コッド網３の両側壁網３ｃおよび上壁網３ａの前方部分は、その中間の大きさの網目（６６ｍｍ菱目）のネット地で形成されている。また、前記下コッド網２の後方辺および上コッド網３の後方辺には、各コッド網２，３を開閉自在とされ、閉状態とすることでそれぞれのコッド網２，３内に魚介類あるいは夾雑物を収容し、開状態とすることでそれぞれのコッド網２，３内に収容した魚介類あるいは夾雑物を外へ放出可能とするチャック部材７が形成されている。さらに、前記下コッド網２の下側辺部には、コッド網１の展張形状を良好な状態で保ち、補強するための補強部材として、図示しないワイヤロープが配設されている。
【００１９】
次に、このように形成された本実施形態のコッド網１の作用効果について説明する。
【００２０】
本実施形態のコッド網１は、前記構成の下コッド網２を夾雑物を収容することを主目的として用い、上コッド網３は、前記漁獲の目的物としての魚介類を収容することを目的として用いる。
【００２１】
すなわち、底曳網漁の曳網中に、当該コッド網（下コッド網２）１内には、魚介類と海中の夾雑物とが前記網口４から混在した状態で進入する。そして、進入した魚介類はコッド網１（下コッド網２）の奥部へ、上方へと泳ぎ、または、コッド網１が海底を曳かれることによって奥部へ、上方へと追いやられることとなる。その際に、前記魚介類は下コッド網２と上コッド網３との隔壁となる前記下コッド網２の上壁網２ａの前方部分に形成された開口部５を通過して上コッド網３内に進入し、さらに、上コッド網３の後方部分へ収納される。
【００２２】
一方、夾雑物は自身で進むことはないので、前記曳網作業により、そのまま前記下コッド網２の中を奥部へ追いやられ、下コッド網２の後方部分へ収納されることとなる。
【００２３】
そして、前記コッド網１を船上に引き上げたのち、上コッド網３の後端辺に形成されたチャック部材７を解放することで、上コッド網３に収容されていた魚介類を漁獲することができ、また、下コッド網２の後端辺に形成されたチャック部材７を解放することで、夾雑物を当該下コッド網２から排出することがでる。その際に、夾雑物に混在する魚介類があれば、それらを拾い集めることで、容易に夾雑物と魚介類との分別を行なうことができる。
【００２４】
このように、本実施形態のコッド網１によれば、曳網中に、コッド網１内に進入した魚介類と夾雑物とを分別することができるので、コッド網１を船上に引き上げたのちに行なう魚介類と夾雑物との分別作業が頗る容易になる。また、コッド網１内において、夾雑物と分離させた状態で魚介類を収容することにより、魚介類が夾雑物により傷つくことを回避することができ、商品としての漁獲物の価値を低下させることも防止することができる。
【００２５】
次に、第２実施形態について図３および図４を用いて説明する。なお、以下の実施形態における「前」、「後」の概念は前記第１実施形態と同じである。
【００２６】
本実施形態のコッド網１における上コッド網３は、その網口４を開口させた状態で底曳網の身網に連結される網であり、魚介類を収容することを目的として用いられる袋網である。
【００２７】
前記上コッド網３は、略長方形状の上壁網３ａ、前記上壁網３ａと略同形状とされた下壁網３ｂ、および前記上壁網３ａと下壁網３ｂとを連接する、後方辺の中央部を僅かに後方へ突出させた略長方形状の２枚の側壁網３ｃの計４枚の部材により本体が構成されており、使用時の展張状態における平面形状が略長方形の筒状となり、その長さ方向縦断面形状が後端部を略三角形状に突出させた変形の長方形状となるように形成されている。
【００２８】
そして、前記上コッド網３の下壁網３ｂの前記網口４近傍には、前記網口４からコッド網（上コッド網３）１内に進入した魚介類を当該上コッド網３の下方に配置される下コッド網２へ通過させるための解放枠状の開口部５が形成されている。なお、前記開口部５には、網目のネットやロープネット等を配設することも可能である。
【００２９】
さらに、本実施形態においては、上コッド網３はその長手方向に２つの仕切網８が間隔を隔てて配設されている。網口４に近い側に配設された仕切網（第１仕切網）８ａは、奥部側に配設される仕切網（第２仕切網）８ｂよりも大きめの網目で形成されており、これらの仕切網８ａ，８ｂにより、上コッド網３内を３つに区画して、当該上コッド網３内に進入する魚介類を魚体の大小で各区画に分別するように構成されている。
【００３０】
また、下コッド網２は、前記漁獲の目的物としての魚介類以外の夾雑物を収容することを目的として用いられる袋網であり、矩形状の上壁網２ａ、前記上壁網２ａよりも長さ寸法の長い下壁網２ｂおよび前記下壁網２ｂの前端側辺を底辺とする三角形状とされ、前記上壁網２ａと下壁網２ｂとを連接する２枚の側壁網２ｃの計４枚の部材から構成されている。そして、袋状とされた下コッド網２の前記下壁網２ｂの前端辺を前記上コッド網３に形成された開口部５の前方辺部分に固定し、前記下壁網ｂの前端辺を前記開口部５の後方辺部分に固定して、前記開口部５に当該下コッド網２の網口４を合わせた状態で前記下コッド網２が前記上コッド網３の下方に配設されている。
【００３１】
なお、本実施形態においては、前記上コッド網３の上壁網３ａ、下壁網３ｂ、および下コッド網２の両側壁網２ｃおよび下コッド網２の両側壁網２ｃは中間の大きさの網目（６６ｍｍ菱目）のネット地で形成され、前記第１仕切網８ａは、最も大きい網目（７５ｍｍ角目）のネット地で形成され、前記第２仕切網８ｂは、前記第１仕切網よりも小さい網目（４５ｍｍ角目）のネット地で形成されている。また、前記上コッド網３の後方辺、前記第１仕切網８ａの配設部分、第２仕切網８ｂの配設部分および下コッド網２の後方辺には、各コッド網２，３を開閉自在とされ、閉状態とすることでそれぞれのコッド網２，３内に魚介類あるいは夾雑物を収容し、開状態とすることでそれぞれのコッド網２，３内に収容した魚介類あるいは夾雑物を外へ放出可能とするチャック部材７が形成されている。さらに、前記上コッド網３の下側辺部には、コッド網１の展開形状を良好な状態で保ち、補強するための補強部材として、ワイヤロープが配設されている。
【００３２】
次に、このように形成された本実施形態のコッド網１の作用効果について説明する。
【００３３】
本実施形態のコッド網１は、前記構成の下コッド網２を夾雑物を収容することを主目的として用い、上コッド網３は、前記漁獲の目的物としての魚介類を収容することを目的として用いる。
【００３４】
すなわち、底曳網漁の曳網作業により、当該コッド網（上コッド網３）１内には、魚介類と海中の夾雑物とが前記網口４から混在した状態で進入する。そして、進入した魚介類はコッド網（上コッド網３）１の奥部へ泳ぎ入り、または曳網作業により、追いやられることとなる。その際に、前記魚介類は、第１仕切網８ａを通過できる魚体の大きさかどうか、また、第１仕切網８ａを通過した場合にはさらに第２仕切網８ｂを通過できる魚体の大きさかどうかにより分別され、前記第１仕切網８ａおよび第２仕切網８ｂによって仕切られた各区画に前記魚体の大きさ別で収容されることとなる。
【００３５】
一方、夾雑物は自身で進むことはないので、前記曳網作業により、コッド網（上コッド網３）１内に進入した夾雑物は、その上コッド網３の下壁網３ｂに開口する開口部５から下コッド網２内に追いやられ、その後、下コッド網２の後方部分へ収納されることとなる。
【００３６】
そして、コッド網１を船上に引き上げたのち、上コッド網３の後端辺に形成されたチャック部材７、第２仕切網の配設部分に形成されたチャック部材７、および第１仕切網８ａの配設部分に形成されたチャック部材７を順次解放することで、上コッド網３内にその魚体の大きさ別に区画して収容されていた魚介類をそれぞれ漁獲することができる。また、下コッド網２の後端辺に形成されたチャック部材７を解放することで、夾雑物を当該下コッド網２から排出することができ、その際に、夾雑物に混在する魚介類があれば、それらを拾い集めることで、容易に夾雑物と魚介類との分別を行なうことができる。
【００３７】
このように、本実施形態のコッド網１によれば、曳網中に、コッド網１内に進入した魚介類と夾雑物とを大別することができ、さらには、魚介類をもその魚体の大きさにより分別することができるので、コッド網１を船上に引き上げたのちに行なう魚介類と夾雑物との分別作業や魚介類の分別作業が頗る容易になる。また、コッド網１内において、魚介類と夾雑物とを分離した状態で収容することにより、魚介類が夾雑物により傷つくことを回避することができ、商品としての漁獲物の価値を低下させることも防止することができる。
【００３８】
なお、本発明は、前述した実施の形態に限定されるものではなく、必要に応じて種々の変更が可能である。
【００３９】
例えば、本実施形態においては、底曳網漁に用いられる場合をもって説明したが、本発明のコッド網が使用される漁法は前記底曳網漁に限らない。また、上コッド網と下コッド網に分別する対象物としても、前述の魚介類と夾雑物に限ることなく、異なる複数種の魚介類を分別の対象としてもよい。
【００４０】
【発明の効果】
以上説明したように本発明によれば、漁獲物と夾雑物とを曳網中に分別することができるので、コッド網を引き上げたときの分別の作業が著しく簡単になり、また、商品としての魚介類が夾雑物により傷付くことも防止することができるので、漁獲物の商品価値が低下することもないという効果を奏する。
【図面の簡単な説明】
【図１】第１実施形態のコッド網の全体斜視図
【図２】図１のコッド網の展開図
【図３】第２実施形態のコッド網の全体斜視図
【図４】図２のコッド網の展開図
【符号の説明】
１  コッド網
２  下コッド網
２ａ  上壁網
２ｂ  下壁網
２ｃ  側壁網
３  上コッド網
３ａ  上壁網
３ｂ  下壁網
３ｃ  側壁網
４  網口
５  開口部
６  ロープネット
７  チャック部材
８  仕切網
８ａ  第１仕切網
８ｂ  第２仕切網
【図１】
2004298126.tif 000003
【図２】
2004298126.tif 000004
【図３】
2004298126.tif 000005
【図４】
2004298126.tif 000006